【手続補正書】
【提出日】平成17年11月30日(2005.11.30)
【手続補正１】
【補正対象書類名】特許請求の範囲
【補正対象項目名】全文
【補正方法】変更
【補正の内容】
【特許請求の範囲】
【請求項１】
押下操作に応じてスイッチ部品を作動させるボタンと、
少なくとも押下面を露出させた状態で前記ボタンを収納するケースと、
前記ボタンの周縁に設けられた第1の位置決め部と、
前記ケースの前記ボタンと接する面のうち前記第1の位置決め部に対応する位置に設けられた第２の位置決め部とを具備し、  
前記第１及び第２の位置決め部が互いに係合することにより、前記ケースに対し前記ボタンの位置が定置されることを特徴とするスイッチ装置。
【請求項２】
請求項１記載のスイッチ装置において、
前記第１の位置決め部は、前記ボタンの周縁に設けられた凸部又は凹部であり、
前記第２の位置決め部は、前記ボタンの凸部又は凹部に各々対応する位置に設けられた凹部又は凸部により構成されることを特徴とするスイッチ装置。
【請求項３】
請求項２記載のスイッチ装置において、
前記第１の位置決め部又は前記第２の位置決め部における凹部は、テーパ付きの凹部で構成されることを特徴とするスイッチ装置。
【請求項４】
請求項２記載のスイッチ装置において、
前記第１の位置決め部又は前記第２の位置決め部における凸部は、先端が略球面の柱状の凸部で構成されることを特徴とするスイッチ装置。
【請求項５】
請求項３記載のスイッチ装置において、
前記第１の位置決め部又は前記第２の位置決め部における凸部は、先端が略球面の柱状の凸部で構成されることを特徴とするスイッチ装置。
【請求項６】
請求項１記載のスイッチ装置において、
前記スイッチ部品が配置された基板をさらに備え、
前記ボタンは円板状をなし、前記ボタンの前記第１の位置決め部を、前記ボタンの中心に対して略９０°ピッチで４箇所設けるとともに、前記ケースの前記第２の位置決め部についても略９０°ピッチで４箇所設け、  
前記スイッチ部品を、前記ボタンの各凸部又は凹部から略４５°ずらした前記基板上の４箇所に配置したことを特徴とするスイッチ装置。
【請求項７】
請求項1記載のスイッチ装置において、
前記スイッチ部品が配置された基板と、
前記基板上に配置される弾性シートと、
前記弾性シート上に配置される前記ボタンとを備え、
前記ボタンの周縁で前記押下面に略直交する向きに、凸部又はテーパ付きの凹部を複数設け、前記ケースの前記ボタンと接する面に、前記ボタンの凸部又はテーパ付きの凹部と係合する、テーパ付きの凹部又は凸部を複数設けたことを特徴とするスイッチ装置。
【請求項８】
請求項７記載のスイッチ装置において、
前記凸部は、円柱状をなし先端が略球面で構成されることを特徴とするスイッチ装置。
【請求項９】
請求項７記載のスイッチ装置において、
前記ボタンは円板状をなし、前記ボタンの凸部又は凹部を、前記ボタンの中心に対して略９０°ピッチで４箇所設けるとともに、前記ケースの凹部又は凸部についても略９０°ピッチで４箇所設け、
前記スイッチ部品を、前記ボタンの各凸部又は凹部から略４５°ずらした前記基板上の４箇所に配置したことを特徴とするスイッチ装置。
【請求項１０】
請求項８記載のスイッチ装置において、
前記ボタンは円板状をなし、前記ボタンの凸部又は凹部を、前記ボタンの中心に対して略９０°ピッチで４箇所設けるとともに、前記ケースの凹部又は凸部についても略９０°ピッチで４箇所設け、
前記スイッチ部品を、前記ボタンの各凸部又は凹部から略４５°ずらした前記基板上の４箇所に配置したことを特徴とするスイッチ装置。
【請求項１１】
前記ボタンへの押下操作に応じてスイッチ部品を作動させる携帯端末装置において、
少なくとも押下面を露出させた状態で前記ボタンを収納するケースと、
前記ボタンの周縁に設けられた第1の位置決め部と、前記ケースの前記ボタンと接する面のうち前記第1の位置決め部に対応する位置に設けられた第２の位置決め部とを有し、
前記第１及び第２の位置決め部が互いに係合することにより、前記ケースに対し前記ボタンの位置が定置されることを特徴とする携帯端末装置。
【請求項１２】
請求項１１記載の携帯端末装置において、
前記第１の位置決め部は、前記ボタンの周縁に設けられた凸部又は凹部であり、
前記第２の位置決め部は、前記ボタンの凸部又は凹部に各々対応する位置に設けられた凹部又は凸部により構成されることを特徴とする携帯端末装置。
【請求項１３】
請求項１２記載の携帯端末装置において、
前記第１の位置決め部又は前記第２の位置決め部における凹部は、テーパ付きの凹部で構成されることを特徴とする携帯端末装置。
【請求項１４】
請求項１２記載の携帯端末装置において、
前記第１の位置決め部又は前記第２の位置決め部における凸部は、先端が略球面の柱状の凸部で構成されることを特徴とする携帯端末装置。
【請求項１５】
請求項１３記載の携帯端末装置において、
前記第１の位置決め部又は前記第２の位置決め部における凸部は、先端が略球面の柱状の凸部で構成されることを特徴とする携帯端末装置。
【請求項１６】
請求項１１記載の携帯端末装置において、
前記スイッチ部品が配置された基板をさらに備え、
前記ボタンは円板状をなし、前記ボタンの前記第１の位置決め部を、前記ボタンの中心に対して略９０°ピッチで４箇所設けるとともに、前記ケースの前記第２の位置決め部についても略９０°ピッチで４箇所設け、  
前記スイッチ部品を、前記ボタンの各凸部又は凹部から略４５°ずらした前記基板上の４箇所に配置したことを特徴とする携帯端末装置。
【請求項１７】
請求項１１記載の携帯端末装置において、
前記スイッチ部品が配置された基板と、
前記基板上に配置される弾性シートと、
前記弾性シート上に配置される前記ボタンとを備え、
前記ボタンの周縁で前記押下面に略直交する向きに、凸部又はテーパ付きの凹部を複数設け、前記ケースの前記ボタンと接する面に、前記ボタンの凸部又はテーパ付きの凹部と係合する、テーパ付きの凹部又は凸部を複数設けて前記位置決め手段を具えるようにしたことを特徴とする携帯端末装置。
【請求項１８】
請求項１７記載の携帯端末装置において、
前記凸部は、円柱状をなし先端が略球面で構成されることを特徴とする携帯端末装置。
【請求項１９】
請求項１７記載の携帯端末装置において、
前記ボタンは円板状をなし、前記ボタンの凸部又は凹部を、前記ボタンの中心に対して略９０°ピッチで４箇所設けるとともに、前記ケースの凹部又は凸部についても略９０°ピッチで４箇所設け、
前記スイッチ部品を、前記ボタンの各凸部又は凹部から略４５°ずらした前記基板上の４箇所に配置したことを特徴とする携帯端末装置。
【請求項２０】
請求項１８記載の携帯端末装置において、
前記ボタンは円板状をなし、前記ボタンの凸部又は凹部を、前記ボタンの中心に対して略９０°ピッチで４箇所設けるとともに、前記ケースの凹部又は凸部についても略９０°ピッチで４箇所設け、
前記スイッチ部品を、前記ボタンの各凸部又は凹部から略４５°ずらした前記基板上の４箇所に配置したことを特徴とする携帯端末装置。
【手続補正２】
【補正対象書類名】明細書
【補正対象項目名】００１０
【補正方法】変更
【補正の内容】
【００１０】
上記課題を解決し、本発明の目的を達成するため、本発明はスイッチ装置あるいはスイッチ装置を備えた携帯端末装置において、押下操作に応じてスイッチ部品を作動させるボタンと、少なくとも押下面を露出させた状態でボタンを収納するケースと、ボタンの周縁に設けられた第1の位置決め部と、ケースのボタンと接する面のうち第1の位置決め部に対応する位置に設けられた第２の位置決め部とを具備し、第１及び第２の位置決め部が互いに係合することにより、ケースに対しボタンの位置が定置されるものである。